(57)【要約】非常用低体温防止システムは、非常用にポケット、ハンドバッグ、バックパック、自動車室内、スキーストックなどに入れて持ち運ぶのに十分な携帯性を有する断熱性に優れたベストを備え、このベストは、空気を通さず、かつ自体も膨張できる断熱材料で形成することにより、断熱性を提供する。このベストに配置されて相互に接続している多数の膨張小室が、携帯性の高いシステムにおいて、熱伝導、熱放射、及び熱対流を防止することにより断熱性を提供する。レーダー反射性を有する外面が、このベストの視認性をさらに向上させる。
2019501312.tif 000002
【特許請求の範囲】
【請求項１】
非常用低体温防止システムの改良されたベストであって、
前記ベストの少なくとも一部が膨張可能であり、
前記ベストは、膨張可能な前記一部を提供する空気を通さない材料から成り、
前記ベストは、
開閉可能な前記ベストの前部であって、第１パネル及び第２パネルを有し、前記第１パネル及び前記第２パネルは、開いている状態では互いから分離可能で、閉じている状態では互いに結合可能である、前記ベストの前部と、
それぞれ１つのパネルを含む、前記ベストのほぼ全長に渡る複数の側部と、
１つのパネルを含む、前記ベストの首領域から腰領域までの前記ベストのほぼ全長に渡る背部と、
の周囲で断熱性を有し、
前記ベストは、外面と内面とを有し、
前記ベストの前記内面の少なくとも一部に熱放射反射材料が設けられ、前記ベストの前記外面の少なくとも一部にレーダー反射材料が設けられている、
ベスト。
【請求項２】
前記ベストの前記前部、前記側部、及び前記背部に位置する一体的に形成された通気孔をさらに含む、
請求項１に記載のベスト。
【請求項３】
一体的に形成された膨張管をさらに含む、
請求項１に記載のベスト。
【請求項４】
一体的に形成された襟をさらに含む、
請求項１に記載のベスト。
【請求項５】
前記ベストの前記前部、前記側部、及び前記背部に位置する一体的に形成された通気孔、一体的に形成された膨張管、及び一体的に形成された襟をさらに含む、請求項１に記載のベスト。
【請求項６】
前記ベストの膨張可能な前記一部は、小室を含む、
請求項１に記載のベスト。
【請求項７】
前記ベストの前記内面は前記小室の外側にある、
請求項６に記載のベスト。
【請求項８】
前記ベストの前記材料は、０．０１４インチ以下の厚みを有する、
請求項１に記載のベスト。
【請求項９】
前記ベストを閉じるため、前記ベストの前記前部に設けられるテープをさらに含み、前記テープは、前記テープの外面に保護カバーを有する、
請求項１に記載のベスト。
【請求項１０】
前記ベストの前記前部の一方側の上部にテープをさらに含み、前記テープは前記ベストの肩部を形成するために前記ベストの前記背部の一方側の上部と結合可能であり、前記テープは前記テープの外面に保護カバーを有する、
請求項１に記載のベスト。
【請求項１１】
前記ベストの前記背部の一方側の上部にテープをさらに含み、前記テープは前記ベストの肩部を形成するために前記ベストの前記前部の一方側の上部と結合可能であり、前記テープは前記テープの外面に保護カバーを有する、
請求項１に記載のベスト。
【請求項１２】
膨張しない一対の袖部をさらに含む、
請求項１に記載のベスト。
【請求項１３】
前記ベストの前記袖部は、それぞれ、
外面と内面とを有し、
前記袖部の前記内面の少なくとも一部に熱放射反射材料が設けられ、前記袖部の前記外面の少なくとも一部にレーダー反射材料が設けられている、
請求項１２に記載のベスト。
【請求項１４】
非常用低体温防止システムの改良されたベストであって、
前記ベストの少なくとも一部が膨張可能であり、
前記ベストは膨張可能な前記一部を提供する空気を通さない材料から成り、
前記ベストは
開閉可能な前記ベストの前部であって、第１パネル及び第２パネルを含み、前記第１パネル及び前記第２パネルは、開いている状態では互いから分離可能で、閉じている状態では互いに結合可能である、前記ベストの前部と、
それぞれ１つのパネルを含む、前記ベストのほぼ全長に渡る複数の側部と、
１つのパネルを含む、前記ベストの首領域から腰領域までの前記ベストのほぼ全長に渡る背部と、
の周囲で断熱性を有し、
前記ベストは、外面と内面とを有し、
前記ベストの前記内面の少なくとも一部に熱放射反射材料が設けられ、前記ベストの前記前部、前記側部、及び前記背部に位置する通気孔が、一体的に形成されている、
ベスト。
【請求項１５】
一体的に形成された膨張管をさらに含む、
請求項１４に記載のベスト。
【請求項１６】
一体的に形成された襟をさらに含む、
請求項１４に記載のベスト。
【請求項１７】
一体的に形成された膨張管及び一体的に形成された襟をさらに含む、
請求項１４に記載のベスト。
【請求項１８】
前記ベストの膨張可能な前記一部は、小室を含む、
請求項１４に記載のベスト。
【請求項１９】
前記内面は前記小室の外側にある、
請求項１８に記載のベスト。
【請求項２０】
前記ベストの前記材料は、０．０１４インチ以下の厚みを有する、
請求項１４に記載のベスト。
【請求項２１】
前記ベストを閉じるため、前記ベストの前記前部に設けられるテープをさらに含み、前記テープは、前記テープの外面に保護カバーを有する、
請求項１４に記載のベスト。
【請求項２２】
前記ベストの前記前部の一方側の上部にテープをさらに含み、前記テープは前記ベストの肩部を形成するために前記ベストの前記背部の一方側の上部と結合可能であり、前記テープは前記テープの外面に保護カバーを有する、
請求項１４に記載のベスト。
【請求項２３】
前記ベストの前記背部の一方側の上部にテープをさらに含み、前記テープは前記ベストの肩部を形成するために前記ベストの前記前部の一方側の上部と結合可能であり、前記テープは前記テープの外面に保護カバーを有する、
請求項１４に記載のベスト。
【請求項２４】
膨張しない一対の袖部をさらに含む、
請求項１４に記載のベスト。
【請求項２５】
前記ベストの前記袖部は、それぞれ、
外面と内面とを有し、
前記袖部の前記内面の少なくとも一部に熱放射反射材料が設けられ、前記袖部の前記外面の少なくとも一部にレーダー反射材料が設けられている、
請求項２４に記載のベスト。
【請求項２６】
ベストを含む非常用低体温防止システムにおける改良であって、
前記ベストは、
開閉可能な前記ベストの前部であって、第１パネル及び第２パネルを有し、前記第１パネル及び前記第２パネルは、開いている状態では互いから分離可能で、閉じている状態では互いに結合可能である、前記ベストの前部と、
それぞれ１つのパネルを含む、前記ベストのほぼ全長に渡る複数の側部と、
１つのパネルを含む、前記ベストの首領域から腰領域までの前記ベストのほぼ全長に渡る背部と、
を囲む断熱性のある衣服で構成され、
前記衣服の少なくとも一部が膨張可能で空気を通さない材料から成り、
膨張可能な前記一部は、表面によって範囲を定められる小室を含み、前記小室は、前記ベストの少なくとも前部における上部及び下部にあって、互いに交差接続されており、
前記ベストは
外面と内面とを有し、
前記ベストの前記内面の少なくとも一部に熱放射反射材料が設けられ、前記ベストの前記外面の少なくとも一部にレーダー反射材料が設けられ、前記ベストの前記前部、前記側部、及び前記背部に位置する通気孔が一体的に形成され、膨張管が一体的に形成され、襟が一体的に形成されており、
前記ベストは非常用に持ち運ぶのに十分な携帯性を有する、
改良。
【請求項２７】
前記ベストを閉じるため、前記ベストの前記前部に設けられるテープをさらに含み、前記テープは、前記テープの外面に保護カバーを有する、
請求項２６に記載のベスト。 
【請求項２８】
前記ベストの前記前部の一方側の上部にテープをさらに含み、前記テープは前記ベストの肩部を形成するために前記ベストの前記背部の一方側の上部と結合可能であり、前記テープは前記テープの外面に保護カバーを有する、
請求項２６に記載のベスト。
【請求項２９】
前記ベストの前記背部の一方側の上部にテープをさらに含み、前記テープは前記ベストの肩部を形成するために前記ベストの前記前部の一方側の上部と結合可能であり、前記テープは前記テープの外面に保護カバーを有する、
請求項２６に記載のベスト。
【請求項３０】
前記ベストの前記内面は、前記小室の外側にある、
請求項２６に記載のベスト。
【請求項３１】
前記ベストの前記材料は、０．０１４インチ以下の厚みを有する、
請求項２６に記載のベスト。
【請求項３２】
膨張しない一対の袖部をさらに含む、
請求項２６に記載のベスト。
【請求項３３】
前記ベストの前記袖部は、それぞれ、
外面と内面とを有し、
前記袖部の前記内面の少なくとも一部に熱放射反射材料が設けられ、前記袖部の前記外面の少なくとも一部にレーダー反射材料が設けられている、
請求項３２に記載のベスト。
【発明の詳細な説明】
【背景技術】
【０００１】
毎年冬になると、路上で立ち往生してガソリンなどの自動車燃料を使い果たすまで自動車のエンジンを動かし、結局、保温性の高い衣服の持ち合わせがない場所でロードサービスを待つ間に低体温症になってしまうドライバーがいる。スキーヤーなどの屋外ウィンタースポーツ参加者も同様に、少しの間だからと軽装のまま屋外に出て、低体温症を引き起こすほどの冷えてしまう予想外の事態に陥る可能性がある。これ以外でも、衣服による保温が不十分だと感じる状況があり得る。低体温症は、自然災害の被害者にとって１つの脅威であるが、冬の夜に路傍でタイヤを交換しているだけの人にとっても同様に脅威である。
【０００２】
低体温症とは、意図せずに深部（芯部）体温が９５．０°Ｆ（３５．０°Ｃ）以下に低下することと定義される。低体温症には、軽度、中度、重度がある。ＣＤＣによれば、アメリカ合衆国において２００６年から２０１０年の間に、１０６４９人が天候に起因する原因で死亡したとされている。この死亡者のうち３分の２が自然の過度の低温によるものとされている。（Deaths Attributed to Heat, Cold, and Other Weather Events in the United States, 2006-2010; http://www.cdc.gov/nchs/data/nhsr/nhsr076. pdf参照）。
【０００３】
１９９９年以降、ＣＤＣの国立保健統計センター（ＮＣＨＳ）は、国際疾病分類コードで分類された死亡診断書からの情報を使用して全国的な死亡傾向を推定している。１９９９年、自然の過度の低温への曝露（ＩＣＤ−１０コードＸ３１）はアメリカ合衆国において５９８人の死亡遠因として挙げられ、低体温症（ＩＣＤ−１０コードＴ６８）は１１３９人の死亡者負傷の１つとして挙げられた。低体温症関連の死亡者５９８人のうち、３８０人（６４％）が男性であり、低体温症による死亡者で年齢がわかっている５９７人のうち、３５９人（６０％）が６５歳より高齢であった。１９９９年の間に低体温症関連の死亡者が最も多かったのは、ペンシルベニア州及びニューヨーク州であった（各３６人）。死亡率が最も高かったのはアラスカ州であり（住民１０万人当たり１．９人）、これは２番目に死亡率が高かった（０．９人）モンタナ州のおよそ２倍に当たる。
【０００４】
寒冷な天候における低体温症は、発熱量の減少、体温喪失量の増加、又は体温調節機能が損なわれた結果起こるものである。高齢者は、基礎代謝率が低下している上に体を温かく保つ熱を発生させる身体的活動の能力が衰えているため、低体温になるリスクが高い。活動的でないと身体的活動による発熱量が抑えられてしまう一方、活動が過度になると気道からの蒸発脱水量を増大させ、疲労の原因となり得る。震えも多くの乳酸を生成させ、いずれは酸血症や疲労を引き起こしかねない。強風に曝されることより、体温はさらに奪われる。体温が低下するにつれ、視床下部が体温を補うことができなくなり、徐々に進行する全身の代謝低下に従って中枢神経系の活動も低下する。最後に、アルコール依存症、栄養失調、甲状腺機能不全、又は加齢による代謝の悪化により、寒さに対する耐性が低下する可能性がある。子供は、代謝質量に対して表面積が非常に大きく、低体温になるリスクがより高い。
【０００５】
低体温症関連罹患率は寒冷な北部気候に限定されるものではない。低体温症は、寒冷な気候と温暖な気候のどちらにおいても起こり得る。実際、１２か所の医療センターに対する調査によれば、予期しない低体温症が最も多く発生したのは温暖な州においてであった。低体温症は熱帯地方の国々でも報告されている。冬が温暖な地域の出身の人は、冬が長く寒さが厳しい地域の出身の人より低温での対処に不慣れなため、寒冷な天候の間接的影響によるリスクがより高い可能性がある。但し、地理的分布は、季節的温度変化だけでなく、（制御された室内温度へのアクセスを制限し得る）社会経済的地位、（個々が屋外活動と同様に寒さから身を守る行動に影響し得る）文化的背景、又は高齢者が人口に占める割合が高いことも表している可能性がある。
【発明の概要】
【課題を解決するための手段】
【０００６】
このように、前述のような状況のための非常用低体温防止システムが求められていることがわかる。本発明はそのようなシステムを提供する。本発明は、非常用にポケット、ハンドバッグ、バックパックなどの人が携行可能な場所、又は自動車内に入れて持ち運ぶのに十分な携帯性を有する、断熱性に優れた膨張可能なベストを提供する。
【０００７】
このベストは、空気を通さず、かつ自体も膨張できる材料で作られることにより断熱性を提供する。ベストを膨張させる空気も断熱性を提供する。ベストの内向き表面、好ましくはベストを取り巻く膨張した小室すなわちセルの外層の内向き表面にある熱放射反射材料が、体温を維持する役割を果たす。ベストを取り巻く多数の膨張可能な小室それぞれが、対流熱の伝達を減少させる。したがって、このベストは好ましくは、携帯性の高いシステムにおける熱伝導、熱放射、及び熱対流を防止することによって断熱性を提供する。
【０００８】
本発明の他の様々な特徴や付随する利点は、添付図面と共に考慮されてより深く理解されるに従って読者にとって明らかとなり、その真価が十分に認められるであろう。これらの目的及び利点は、本発明の範囲に含まれる。上記及び関連する目的を達成するために、本発明は添付図面にて例示されるような形で具現化され得る。但し、図面は一例に過ぎず、例示され記載される特定の構成において、本願の範囲内で変更が可能であるという事実に留意されたい。
【０００９】
携帯性の高い、膨張可能な非常用ベストを提供する。このベストはセルすなわち小室を含み、それらは互いに交差接続されており、ベストの襟に設けられた単純な一方向マウスピースを介して膨張させることができる。ベストを膨張させることで、着用者の体形に沿わせながら、グースダウンと同様の方法で空気を閉じ込めて動かないようにした層を形成し、これにより湿った空気を袖ぐり及び一体的に形成された通気孔から逃がしつつ着用者の体の芯部を保温する。ベストの内側表面は熱反射性を有しているため、使用者の体熱をその近傍に閉じ込めて維持して、８０％〜９０％もの放射熱損失を防止する。さらに、ベストの外側表面はレーダー反射材料製である。これによりベストのレーダー視認性が大幅に改善され、行方不明又は行動不能になった着用者を探し出す捜索救助活動の一助として利用できる。この特徴により、遠距離からでも広い水域面における着用者の位置をレーダーに表示させることができるため、小さなボートやカヤックの操縦者にとっても有益である。
【００１０】
この製造プロセスには、材料の第１シートを第２シートの上に配置し、第１シートと第２シートとを熱的に又は超音波で溶着し、２つのシートの縁部に沿って内側を接合して、相互連結した小室を形成する工程が含まれる。これらのシートには、オフセット印刷または他の既知手段により、予め（単数又は複数の）好適な色で印刷されたり、何らかの所望の装飾が施されたりしてもよい。ベストを閉じるために接着片が取り付けられる。組み立てが完了すると、この膨張前のベストが、携帯に便利なように小さな容器又は小袋に収納される。安全性／視認性を高めるために、布地用反射性インクが使用されてもよい。このようなインクは、再帰反射型マイクロレンズを混合した水性（ラテックス）インクベースから成る。このプロセスは生地又はプラスチックへのダイレクトスクリーン印刷に用いられ、視認性に関して最終的に得られる結果は同じである。再帰反射フィルムを使用してもよく、使用する場合には、接着プロセスの前又は後に外側のシートに適用される。
【００１１】
本発明の他の特徴や利点は以下で説明する。
【００１２】
以下、図面を参照して好適な実施形態を説明する。なお、本発明は以下の図面により例示されるが、これに限定されるものではない。
【図面の簡単な説明】
【００１３】
【図１】本発明に係るベストの一実施形態を示す図である。
【００１４】
【図２】空気で膨らまされた図１に示すベストの実施形態の意図される着用状態を示す図である。
【００１５】
【図３】１枚のピースとして平らに広げられた本発明のベストを示す図である。
【００１６】
【図４】製造過程で結合されて１枚のベストになる、１組のピースとして平らに広げられた本発明のベストを示す図である。
【００１７】
【図５】膨張しない袖部をさらに有する本発明のベストの一実施形態を示す図である。
【発明を実施するための形態】
【００１８】
本発明は非常用低体温防止システムを開示する。一実施形態において、このシステムは膨張可能なベスト１００を含む。図１を参照されたい。ベスト１００は、ベスト１００の内部に導入された空気が内部に保たれるように空気を通さない材料から成り、これによりベスト１００の少なくとも一部が膨張する。好ましくは、ベスト１００は、一方側をポリエチレンでコーティングし、他方側に金属蒸着を施したアルミ蒸着ナイロンシートなどの引張強度の高いポリエステルフィルムから成る。この材料は電気抵抗性を有し、化学的に安定であり、不燃性であって（９４ＶＴＭ−２）、厚さは０．００１インチから０．０１４インチの範囲にある。この材料は熱可塑性ポリマーであって、熱的及び超音波的に可融性である。つや消しから光沢まで、色は複数あってよい。
【００１９】
ベスト１００は開閉可能な前部１１０、ベスト１００のほぼ全長に渡る側部１２２、１２４、及びベスト１００の首領域１３６から腰領域１３８までにほぼ全長に渡る背部１３０で構成される。さらに、ベスト１００は外面と内面を有し、少なくともベスト１００の内面の一部に熱放射反射材料が設けられている。膨張時、ベスト１００は、前部１１０、側部１２２、１２４、及び背部１３０の周囲で断熱性を発揮する。
【００２０】
一実施形態において、ベスト１００は１つのパーツとして製造される。図３を参照されたい。別の実施形態において、ベスト１００は左側部と右側部の２つのパーツとして製造される。図４を参照されたい。２パーツ製造法では、最終組み立て時に左側部と右側部を結合する必要がある。これは各側部の材料の側方部分を溶着させることで実現できる。あるいは、一方の側部に取り付けられ、他方の側部と結合するテープ２０２でこれらの部分を互いに固定してもよい。２パーツ製造プロセスの利点の１つは、左側部と右側部とを独立して膨張させることができることである。これにより、一側部の保全性に壊滅的ダメージがあった場合でも他方側部の断熱性が失われることがない。
【００２１】
ベスト１００の膨張可能部分は、複数の相互に連結された小室１８０を含む。図１を参照されたい。小室１８０は、ベスト１００の少なくとも前部１１０の上部及び下部に配置され、互いに交差接続されている。好ましくは、小室１８０は、ベスト１００の前部１１０、背部１３０、及び側部１２２、１２４の上部及び下部に配置される。ベスト１００の内面は小室１８０の外側にあり、ベスト１００の外面は小室１８０の外側にある。各小室１８０は、ベスト１００の内面及び外面の部分を部分的に互いに溶着させることで形成され、この溶着部が、完全に閉じていない小室１８０の周囲部分となる。この周囲の非溶着部分が、隣接する小室１８０に通じている。このため、各小室１８０は少なくとも１つの他の小室１８０と連通し、少なくとも１つの小室１８０は膨張管１６０と連通している。２セットの相互連結小室１８０で構成されるベスト１００の場合（図４参照）、各セットに１つの膨張管１６０が必要である。
【００２２】
（少なくとも１つの）膨張管１６０は単純な一方向マウスピースを含み、これは例えばベスト１００のフィルム材料から成り、ベストの襟１７０に形成されるフラップ弁である。図３を参照されたい。膨張管１６０には、一体的に形成された一方向弁を有する射出成型マウスピースなど、他の構成も考えられる。膨張管１６０を介してベスト１００に導入された空気は、膨張管と連通する少なくとも１つの小室１８０に入り、この小室１８０から他の各小室１８０へ、ベスト１００内のすべての小室１８０に空気が入るまで、各小室間の連通部分を介して進んでいく。膨張管１６０の一方向バルブは、使用中にベスト１００から空気が漏れることを防止する。ただし、ベスト１００をしぼませて再度使用できるよう、この弁を操作してベスト１００から空気が抜けるようにしてもよい。
【００２３】
１つ以上の小室１８０が、ベスト１００の内面をベスト１００の外面に結合する小室間溶着部１８２を有してもよい。図１を参照されたい。したがって、この小室１８０は、球状ではなく略環状となる。小室間溶着部１８２によりベスト１００は構造的剛性が得られ、膨張時に所望の形状を維持することができる。これにより、着用者とベスト１００との間の温められた空気がベスト１００の隙間から漏れるのを最小限にすることができる。
【００２４】
ベスト１００は空気を抜いた状態で、平らに広げた一枚のシートとして提供可能である。図３を参照されたい。これにより、保管用に小さくたたむことができる。一実施形態において、ベスト１００を使用するためには、肩部１２６、１２８を形成し、前部１１０を閉じる必要がある。そのため、使用者は、ベスト１００の前部１１０の一側部の上部１１４をベスト１００の背部１３０の対応側の上部１３４と結合して一方の肩部１２６を形成し、ベスト１００の前部１１０の他方側部の上部１１８をベスト１００の背部１３０の対応側の上部１３４と結合して他方の肩部１２８を形成する。上記の好適な実施形態において、各肩部１２６、１２８は、ベスト１００の前部１１０の上部１１４に取り付けられ、ベスト１００の背部１３０の対応する上部１３４と結合する、テープ２０２により形成される。あるいは、テープ２０２は、ベスト１００の背部１３０の上部１３４に取り付けられ、ベスト１００の前部１１０の対応する上部１１４と結合してもよい。どちらの構成においても、使用前の接着を防止するために、テープ２０２はさらにその外面に保護カバーを有してもよい。他の実施形態において、肩部１２６、１２８は製造プロセスにおいて予めテープ止め又は溶着されており、使用者がベスト１００を着用する前に肩部１２６、１２８についてさらなる作業を行う必要はない。
【００２５】
使用者は、それぞれの腕を、ベスト１００の側部１２２、背部１３０、前部１１０、及び肩部１２６によって形成された対応する袖ぐりに通すことで、ベスト１００を着用する。次いで、ベスト１００の前部１１０の片方の側部１１２をベスト１００の前部１１０のもう一方の側部１１６に接触させることによってベスト１００の前部１１０を閉じる。図２を参照されたい。上記の好適な実施形態において、ベスト１００の前部１１０の第１の側部１１２は、ベスト１００の前部１１０の第１の側部１１２に取り付けたテープ２０２や面ファスナ（Ｖｅｌｃｒｏ（登録商標））などの接着手段により、ベスト１００の前部１１０の第２の側部１１６に接合される。接着手段を取り付けるのはどちらの側部（左又は右）でもよい。テープ２０２を用いる場合、使用前の接着を防止するために、テープ２０２はさらにその外面に保護カバーを有してもよい。
【００２６】
好適な実施形態において、ベスト１００はその外面の少なくとも一部にレーダー反射材料を含む。これは、片面又は両面に金属蒸着を施した、アルミ蒸着によるナイロン又は引張強度の高い他のポリエステルフィルムであってもよい。これらの材料のレーダー反射性には定評がある。膨張時、この金属蒸着を施された可撓性材料は立体的レーダー反射面を形成して、入射レーダー波を大幅に反射しやすいものとなるため、捜索救助活動の一助となる。他の好適な実施形態において、ベスト１００は、一体的に形成された通気孔１５０を含み、この通気孔１５０は、前部１１０、側部１２２、１２４、及び背部１３０に位置する。これらの通気孔１５０は、製造プロセスにおいて、接合されたベスト１００材料の小室１８０同士の交点を穴あけ加工することにより形成される。これにより、発汗による水分をより多く衣服の外側へ移動させられるようになり、着心地の良さとベスト１００の保温性をより高められる。さらに他の好適な実施形態において、ベスト１００は一体的に形成された膨張管１６０を含む。この管１６０は、前襟１７０に設けられているため、ベスト１００の膨張プロセスを大いに改善する。さらに他の好適な実施形態において、ベスト１００は一体的に形成された膨張しない襟１７０を含む。この襟１７０はベスト１００の材料の両層を溶着することにより作製され、着用者の首の後ろ側において防風壁及び付加的な熱反射面を形成する。これにより、全体的な着心地の良さと実用性が向上する。最も好適な実施形態においては、上記の特徴のそれぞれがベスト１００に取り入れられている。
【００２７】
一変形例において、ベスト１００は膨張しない一対の袖部１９０を有する。図５を参照されたい。袖部１９０は、テープ２０２による手首部分の閉鎖部と通気孔１５０とを有する、内側がアルミ蒸着された一重の材料で構成される。この構成により、ベスト１００の全体的な嵩を最小限に維持しつつ、上肢に対してさらなる保温性が提供される。
【００２８】
以上、いくつかの変形例と共に本発明の好適な実施形態を記載及び例示した。上記の用語、記述、及び図面は説明のためにのみ使用されたものであり、本発明を限定するものではない。当業者には明らかなように、本発明は特に記載がない限り全ての用語が最も広く合理的な意味で示されており、本発明の要旨の範囲内において多くの変形が可能である。明細書内の表題は便宜的に使用されたものであり、法的又は限定的効果は一切ない。
【図１】
2019501312.tif 000003
【図２】
2019501312.tif 000004
【図３】
2019501312.tif 000005
【図４】
2019501312.tif 000006
【図５】
2019501312.tif 000007
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
非常用低体温防止システムの改良されたベストであって、
前記ベストの少なくとも一部が、前記ベストの着用者によって膨張可能であり、
前記ベストは、膨張可能な前記一部を提供する空気を通さない材料から成り、
前記ベストは、断熱性で、断熱性の開閉可能な前記ベストの前部と、断熱性で前記ベストの全長に渡る第１の側部と、断熱性で前記ベストの全長に渡る第２の側部と、第１の肩部と、第２の肩部と、第１の袖ぐりと、第２の袖ぐりと、前記ベストの首領域から腰領域まで前記ベストの全長に渡る断熱性の背部と、を有し、
前記開閉可能な前部は、開いている状態では互いから分離可能で、閉じている状態では互いに係合可能な、第１パネル及び第２パネルを含み、
前記全長に渡る第１の側部は、単一の連続状のパネルを含み、
前記全長に渡る第２の側部は、単一の連続状のパネルを含み、
前記全長に渡る背部は連続状のパネルを含み、
前記第１の肩部は２つの不連続なパネルを含み、前記ベストの前記背部の第１の側の上部と係合する前記ベストの前記前部の前記第１パネルの上部により形成され、
前記第２の肩部は２つの不連続なパネルを含み、前記ベストの前記背部の第２の側の上部と係合する前記ベストの前記前部の前記第２パネルの上部により形成され、
前記第１の袖ぐりは、前記ベストの前記前部の前記第１パネル、前記第１の肩部、前記ベストの前記背部、及び前記ベストの前記全長に渡る第１の側部で形成され、
前記第２の袖ぐりは、前記ベストの前記前部の前記第２パネル、前記第２の肩部、前記ベストの前記背部、及び前記ベストの前記全長に渡る第２の側部で形成され、
前記ベストの前記全長に渡る第１の側部は、前記第１の袖ぐりの下方、かつ、前記ベストの前記前部の前記第１パネルと前記ベストの前記背部との間にあり、前記ベストの前記全長に渡る第２の側部は、前記第２の袖ぐりの下方、かつ、前記ベストの前記前部の前記第２パネルと前記ベストの前記背部との間にあり、
前記ベストは、外面と内面とを有し、
前記ベストの前記内面の少なくとも一部に熱放射反射材料が設けられ、前記ベストの前記外面の少なくとも一部にレーダー反射材料が設けられている、
ベスト。
【請求項２】
前記ベストの前記前部、前記第１の側部及び前記第２の側部、及び前記背部に位置する一体的に形成された通気孔をさらに含む、
請求項１に記載のベスト。
【請求項３】
前記ベストを膨張させるために前記着用者により使用されるように構成されている、一体的に形成された膨張管をさらに含む、
請求項１に記載のベスト。
【請求項４】
一体的に形成された襟をさらに含む、
請求項１に記載のベスト。
【請求項５】
一体的に形成された前記膨張管は、前記ベストに空気を入れる第１のモードで操作されるように構成され、かつ、前記ベストから空気を逃す第２のモードで操作されるように構成された、弁を含む、
請求項３に記載のベスト。
【請求項６】
膨張可能である前記ベストの前記一部は、複数の小室を含み、前記小室のそれぞれは、内側部分及び外側部分を含み、前記ベストの前記内面が前記小室それぞれの前記外側部分にある、
請求項１に記載のベスト。
【請求項７】
前記ベストを閉じるため、前記ベストの前記前部に設けられるテープをさらに含み、前記テープは、前記テープの外面に保護カバーを有する、請求項１に記載のベスト。
【請求項８】
前記ベストの前記前部の前記第１パネルの前記上部に設けられたテープであって、前記ベストの前記第１の肩部を形成するために前記ベストの前記背部の前記第１の側の前記上部と係合可能であり、前記テープの外面に保護カバーを有するテープと、
前記ベストの前記前部の前記第２パネルの前記上部に設けられたテープであって、前記ベストの前記第２の肩部を形成するために前記ベストの前記背部の前記第２の側の前記上部と係合可能であり、前記テープの外面に保護カバーを有するテープと、
をさらに含む、
請求項１に記載のベスト。
【請求項９】
前記ベストの前記背部の前記第１の側の前記上部に設けられたテープであって、前記ベストの前記第１の肩部を形成するために前記ベストの前記前部の前記第１パネルの前記上部と係合可能であり、前記テープの外面に保護カバーを有するテープと、
前記ベストの前記背部の前記第２の側の前記上部に設けられたテープであって、前記ベストの前記第２の肩部を形成するために前記ベストの前記前部の前記第２パネルの前記上部と係合可能であり、前記テープの外面に保護カバーを有するテープと、
をさらに含む、
請求項１に記載のベスト。
【請求項１０】
可撓性であり、膨張しない一対の袖部をさらに含む、
請求項１に記載のベスト。
【請求項１１】
前記ベストの前記袖部は、それぞれ、外面、内面、及び手首部分の閉鎖部を有し、
前記袖部の前記内面の少なくとも一部に熱放射反射材料が設けられ、前記袖部の前記外面の少なくとも一部にレーダー反射材料が設けられ、
前記手首部分の閉鎖部が、使用者の手首周囲に前記袖部を滑り嵌めするように構成されている、
請求項１０に記載のベスト。
【請求項１２】
非常用低体温防止システムの改良されたベストであって、
前記ベストの少なくとも一部が、前記ベストの着用者によって膨張されるように構成されており、
前記ベストは、膨張可能な前記一部を提供する空気を通さない材料から成り、
前記ベストは、断熱性で、断熱性の開閉可能な前記ベストの前部と、断熱性で前記ベストの全長に渡る第１の側部と、断熱性で前記ベストの全長に渡る第２の側部と、第１の肩部と、第２の肩部と、第１の袖ぐりと、第２の袖ぐりと、前記ベストの首領域から腰領域まで前記ベストの全長に渡る断熱性の背部と、を有し、
前記開閉可能な前部は、開いている状態では互いから分離可能で、閉じている状態では互いに係合可能な、第１パネル及び第２パネルを含み、
前記全長に渡る第１の側部は、単一の連続状のパネルを含み、
前記全長に渡る第２の側部は、単一の連続状のパネルを含み、
前記全長に渡る背部は連続状のパネルを含み、
前記第１の肩部は２つの不連続なパネルを含み、前記ベストの前記背部の第１の側の上部と係合する前記ベストの前記前部の前記第１パネルの上部により形成され、
前記第２の肩部は２つの不連続なパネルを含み、前記ベストの前記背部の第２の側の上部と係合する前記ベストの前記前部の前記第２パネルの上部により形成され、
前記第１の袖ぐりは、前記ベストの前記前部の前記第１パネル、前記第１の肩部、前記ベストの前記背部、及び前記ベストの前記全長に渡る第１の側部で形成され、
前記第２の袖ぐりは、前記ベストの前記前部の前記第２パネル、前記第２の肩部、前記ベストの前記背部、及び前記ベストの前記全長に渡る第２の側部で形成され、
前記ベストの前記全長に渡る第１の側部は、前記第１の袖ぐりの下方、かつ、前記ベストの前記前部の前記第１パネルと前記ベストの前記背部との間にあり、前記ベストの前記全長に渡る第２の側部は、前記第２の袖ぐりの下方、かつ、前記ベストの前記前部の前記第２パネルと前記ベストの前記背部との間にあり、
前記ベストは、外面と内面とを有し、
前記ベストの前記内面の少なくとも一部に熱放射反射材料が設けられ、前記ベストの前記前部、前記第１の側部及び前記第２の側部、及び背部に位置する通気孔が、一体的に形成されている、
ベスト。
【請求項１３】
前記ベストを膨張させるために前記着用者により使用されるように構成されている、一体的に形成された膨張管をさらに含む、
請求項１２に記載のベスト。
【請求項１４】
一体的に形成された襟をさらに含む、
請求項１２に記載のベスト。
【請求項１５】
一体的に形成された前記膨張管は、前記ベストに空気を入れる第１のモードで操作されるように構成され、かつ、前記ベストから空気を逃す第２のモードで操作されるように構成された、弁を含む、
請求項１３に記載のベスト。
【請求項１６】
膨張可能である前記ベストの前記一部は、複数の小室を含み、前記小室のそれぞれは、内側部分及び外側部分を含み、前記ベストの前記内面が前記小室それぞれの前記外側部分にある、
請求項１２に記載のベスト。
【請求項１７】
前記ベストを閉じるため、前記ベストの前記前部に設けられるテープをさらに含み、前記テープは前記テープの外面に保護カバーを有する、
請求項１２に記載のベスト。
【請求項１８】
前記ベストの前記前部の前記第１パネルの前記上部に設けられたテープであって、前記ベストの前記第１の肩部を形成するために前記ベストの前記背部の前記第１の側の前記上部と係合可能であり、前記テープの外面に保護カバーを有するテープと、
前記ベストの前記前部の前記第２パネルの前記上部に設けられたテープであって、前記ベストの前記第２の肩部を形成するために前記ベストの前記背部の前記第２の側の前記上部と係合可能であり、前記テープの外面に保護カバーを有するテープと、
をさらに含む、
請求項１２に記載のベスト。
【請求項１９】
前記ベストの前記背部の前記第１の側の前記上部に設けられたテープであって、前記ベストの前記第１の肩部を形成するために前記ベストの前記前部の前記第１パネルの前記上部と係合可能であり、前記テープの外面に保護カバーを有するテープと、
前記ベストの前記背部の前記第２の側の前記上部に設けられたテープであって、前記ベストの前記第２の肩部を形成するために前記ベストの前記前部の前記第２パネルの前記上部と係合可能であり、前記テープの外面に保護カバーを有するテープと、
をさらに含む、
請求項１２に記載のベスト。
【請求項２０】
可撓性であり、膨張しない一対の袖部をさらに含む、
請求項１２に記載のベスト。
【請求項２１】
前記ベストの前記袖部は、それぞれ、外面、内面、及び手首部分の閉鎖部を有し、
前記袖部の前記内面の少なくとも一部に熱放射反射材料が設けられ、前記袖部の前記外面の少なくとも一部にレーダー反射材料が設けられ、
前記手首部分の閉鎖部が、使用者の手首周囲に前記袖部を滑り嵌めするように構成されている、
請求項２０に記載のベスト。
【請求項２２】
ベストを含む非常用低体温防止システムにおいて、
前記ベストは断熱性の衣服から成り、前記衣服は、断熱性の開閉可能な前記ベストの前部と、断熱性で前記ベストの全長に渡る第１の側部と、断熱性で前記ベストの全長に渡る第２の側部と、第１の肩部と、第２の肩部と、第１の袖ぐりと、第２の袖ぐりと、前記ベストの首領域から腰領域まで前記ベストの全長に渡る断熱性の背部と、を含み、
前記開閉可能な前部は、開いている状態では互いから分離可能で、閉じている状態では互いに係合可能な、第１パネル及び第２パネルを含み、
前記全長に渡る第１の側部は、単一の連続状のパネルを含み、
前記全長に渡る第２の側部は、単一の連続状のパネルを含み、
前記全長に渡る背部は連続状のパネルを含み、
前記第１の肩部は２つの不連続なパネルを含み、前記ベストの前記背部の第１の側の上部と係合する前記ベストの前記前部の前記第１パネルの上部により形成され、
前記第２の肩部は２つの不連続なパネルを含み、前記ベストの前記背部の第２の側の上部と係合する前記ベストの前記前部の前記第２パネルの上部により形成され、
前記第１の袖ぐりは、前記ベストの前記前部の前記第１パネル、前記第１の肩部、前記ベストの前記背部、及び前記ベストの前記全長に渡る第１の側部で形成され、
前記第２の袖ぐりは、前記ベストの前記前部の前記第２パネル、前記第２の肩部、前記ベストの前記背部、及び前記ベストの前記全長に渡る第２の側部で形成され、
前記ベストの前記全長に渡る第１の側部は、前記第１の袖ぐりの下方、かつ、前記ベストの前記前部の前記第１パネルと前記ベストの前記背部との間にあり、前記ベストの前記全長に渡る第２の側部は、前記第２の袖ぐりの下方、かつ、前記ベストの前記前部の前記第２パネルと前記ベストの前記背部との間にあり、
前記衣服の少なくとも一部は、前記ベストの着用者によって膨張されるように構成され、空気を通さない材料から成り、膨張可能な前記一部は、それぞれが外面及び内面で画定される複数の小室を含み、
前記小室の少なくとも１つは上方小室であり、前記小室の少なくとも１つは下方小室であり、前記ベストが着用されると各前記下方小室は各前記上方小室の下方に位置し、少なくとも１つの前記上方小室及び少なくとも１つの前記下方小室が前記ベストの前記前部に位置して、互いに交差接続されており、
前記ベストは、外面と内面とを有し、
前記ベストの前記内面の少なくとも一部に設けられた熱放射反射材料と、前記ベストの前記外面の少なくとも一部に設けられたレーダー反射材料と、前記ベストの前記前部、前記第１の側部及び前記第２の側部、及び前記背部に位置する一体的に形成された通気孔と、一体的に形成された膨張管と、一体的に形成された襟と、を含み、
前記ベストは、非常用にポケットで携帯されるように構成されている、
非常用低体温防止システム。
【請求項２３】
前記ベストを閉じるため、前記ベストの前記前部に設けられるテープをさらに含み、前記テープは前記テープの外面に保護カバーを有する、
請求項２２に記載の非常用低体温防止システム。
【請求項２４】
前記ベストの前記前部の前記第１パネルの前記上部に設けられたテープであって、前記ベストの前記第１の肩部を形成するために前記ベストの前記背部の前記第１の側の前記上部と係合可能であり、前記テープの外面に保護カバーを有するテープと、
前記ベストの前記前部の前記第２パネルの前記上部に設けられたテープであって、前記ベストの前記第２の肩部を形成するために前記ベストの前記背部の前記第２の側の前記上部と係合可能であり、前記テープの外面に保護カバーを有するテープと、
をさらに含む、
請求項２２に記載の非常用低体温防止システム。
【請求項２５】
前記ベストの前記背部の前記第１の側の前記上部に設けられたテープであって、前記ベストの前記第１の肩部を形成するために前記ベストの前記前部の前記第１パネルの前記上部と係合可能であり、前記テープの外面に保護カバーを有するテープと、
前記ベストの前記背部の前記第２の側の前記上部に設けられたテープであって、前記ベストの前記第２の肩部を形成するために前記ベストの前記前部の前記第２パネルの前記上部と係合可能であり、前記テープの外面に保護カバーを有するテープと、
をさらに含む、
請求項２２に記載の非常用低体温防止システム。
【請求項２６】
前記ベストの前記内面が前記小室それぞれの前記外面にある、
請求項２２に記載の非常用低体温防止システム。
【請求項２７】
前記ベストは、可撓性であり、膨張しない一対の袖部をさらに含む、
請求項２２に記載の非常用低体温防止システム。
【請求項２８】
前記ベストの前記袖部は、それぞれ、外面、内面、及び手首部分の閉鎖部を有し、
前記袖部の前記内面の少なくとも一部に熱放射反射材料が設けられ、前記袖部の前記外面の少なくとも一部にレーダー反射材料が設けられ、
前記手首部分の閉鎖部が、使用者の手首周囲に前記袖部を滑り嵌めするように構成されている、
請求項２７に記載の非常用低体温防止システム。
【請求項２９】
前記ベストを閉じるため、前記ベストの前記前部に設けられた面ファスナをさらに含む、
請求項１に記載のベスト。
【請求項３０】
一部が前記ベストの前記前部の前記第１パネルの前記上部に位置し、別の一部が前記ベストの前記背部の前記第１の側の前記上部に位置する面ファスナであって、前記ベストの前記前部を前記ベストの前記背部に連結させて前記ベストの前記第１の肩部を形成することの可能な面ファスナをさらに含む、
請求項１に記載のベスト。
【請求項３１】
前記ベストを閉じるため、前記ベストの前記前部に設けられた面ファスナをさらに含む、
請求項１２に記載のベスト。
【請求項３２】
一部が前記ベストの前記前部の前記第１パネルの前記上部に位置し、別の一部が前記ベストの前記背部の前記第１の側の前記上部に位置する面ファスナであって、前記ベストの前記前部を前記ベストの前記背部に連結させて前記ベストの前記第１の肩部を形成することが可能な面ファスナをさらに含む、
請求項１２に記載のベスト。
【請求項３３】
前記ベストを閉じるため、前記ベストの前記前部に設けられた面ファスナをさらに含む、
請求項２２に記載の非常用低体温防止システム。
【請求項３４】
一部が前記ベストの前記前部の前記第１パネルの前記上部に位置し、別の一部が前記ベストの前記背部の前記第１の側の前記上部に位置する面ファスナであって、前記ベストの前記前部を前記ベストの前記背部に連結させて前記ベストの前記第１の肩部を形成することが可能な面ファスナをさらに含む、
請求項２２に記載の非常用低体温防止システム。
【請求項３５】
一部が前記ベストの前記前部の前記第２パネルの前記上部に位置し、別の一部が前記ベストの前記背部の前記第２の側の前記上部に位置する面ファスナであって、前記ベストの前記前部を前記ベストの前記背部に連結させて前記ベストの前記第２の肩部を形成することが可能な面ファスナをさらに含む、
請求項１に記載のベスト。
【請求項３６】
一部が前記ベストの前記前部の前記第２パネルの前記上部に位置し、別の一部が前記ベストの前記背部の前記第２の側の前記上部に位置する面ファスナであって、前記ベストの前記前部を前記ベストの前記背部に連結させて前記ベストの前記第２の肩部を形成することが可能な面ファスナをさらに含む、
請求項１２に記載のベスト。
【請求項３７】
一部が前記ベストの前記前部の前記第２パネルの前記上部に位置し、別の一部が前記ベストの前記背部の前記第２の側の前記上部に位置する面ファスナであって、前記ベストの前記前部を前記ベストの前記背部に連結させて前記ベストの前記第２の肩部を形成することが可能な面ファスナをさらに含む、
請求項２２に記載の非常用低体温防止システム。
【手続補正２】
【補正対象書類名】明細書
【補正対象項目名】全文
【補正方法】変更
【補正の内容】
【発明の詳細な説明】
【背景技術】
【０００１】
毎年冬になると、路上で立ち往生してガソリンなどの自動車燃料を使い果たすまで自動車のエンジンを動かし、結局、保温性の高い衣服の持ち合わせがない場所でロードサービスを待つ間に低体温症になってしまうドライバーがいる。スキーヤーなどの屋外ウィンタースポーツ参加者も同様に、少しの間だからと軽装のまま屋外に出て、低体温症を引き起こすほどの冷えてしまう予想外の事態に陥る可能性がある。これ以外でも、衣服による保温が不十分だと感じる状況があり得る。低体温症は、自然災害の被害者にとって１つの脅威であるが、冬の夜に路傍でタイヤを交換しているだけの人にとっても同様に脅威である。
【０００２】
低体温症とは、意図せずに深部（芯部）体温が９５．０°Ｆ（３５．０°Ｃ）以下に低下することと定義される。低体温症には、軽度、中度、重度がある。ＣＤＣによれば、アメリカ合衆国において２００６年から２０１０年の間に、１０６４９人が天候に起因する原因で死亡したとされている。この死亡者のうち３分の２が自然の過度の低温によるものとされている。（Deaths Attributed to Heat, Cold, and Other Weather Events in the United States, 2006-2010; http://www.cdc.gov/nchs/data/nhsr/nhsr076. pdf参照）。
【０００３】
１９９９年以降、ＣＤＣの国立保健統計センター（ＮＣＨＳ）は、国際疾病分類コードで分類された死亡診断書からの情報を使用して全国的な死亡傾向を推定している。１９９９年、自然の過度の低温への曝露（ＩＣＤ−１０コードＸ３１）はアメリカ合衆国において５９８人の死亡遠因として挙げられ、低体温症（ＩＣＤ−１０コードＴ６８）は１１３９人の死亡者負傷の１つとして挙げられた。低体温症関連の死亡者５９８人のうち、３８０人（６４％）が男性であり、低体温症による死亡者で年齢がわかっている５９７人のうち、３５９人（６０％）が６５歳より高齢であった。１９９９年の間に低体温症関連の死亡者が最も多かったのは、ペンシルベニア州及びニューヨーク州であった（各３６人）。死亡率が最も高かったのはアラスカ州であり（住民１０万人当たり１．９人）、これは２番目に死亡率が高かった（０．９人）モンタナ州のおよそ２倍に当たる。
【０００４】
寒冷な天候における低体温症は、発熱量の減少、体温喪失量の増加、又は体温調節機能が損なわれた結果起こるものである。高齢者は、基礎代謝率が低下している上に体を温かく保つ熱を発生させる身体的活動の能力が衰えているため、低体温になるリスクが高い。活動的でないと身体的活動による発熱量が抑えられてしまう一方、活動が過度になると気道からの蒸発脱水量を増大させ、疲労の原因となり得る。震えも多くの乳酸を生成させ、いずれは酸血症や疲労を引き起こしかねない。強風に曝されることより、体温はさらに奪われる。体温が低下するにつれ、視床下部が体温を補うことができなくなり、徐々に進行する全身の代謝低下に従って中枢神経系の活動も低下する。最後に、アルコール依存症、栄養失調、甲状腺機能不全、又は加齢による代謝の悪化により、寒さに対する耐性が低下する可能性がある。子供は、代謝質量に対して表面積が非常に大きく、低体温になるリスクがより高い。
【０００５】
低体温症関連罹患率は寒冷な北部気候に限定されるものではない。低体温症は、寒冷な気候と温暖な気候のどちらにおいても起こり得る。実際、１２か所の医療センターに対する調査によれば、予期しない低体温症が最も多く発生したのは温暖な州においてであった。低体温症は熱帯地方の国々でも報告されている。冬が温暖な地域の出身の人は、冬が長く寒さが厳しい地域の出身の人より低温での対処に不慣れなため、寒冷な天候の間接的影響によるリスクがより高い可能性がある。但し、地理的分布は、季節的温度変化だけでなく、（制御された室内温度へのアクセスを制限し得る）社会経済的地位、（個々が屋外活動と同様に寒さから身を守る行動に影響し得る）文化的背景、又は高齢者が人口に占める割合が高いことも表している可能性がある。
【発明の概要】
【課題を解決するための手段】
【０００６】
このように、前述のような状況のための非常用低体温防止システムが求められていることがわかる。本発明はそのようなシステムを提供する。本発明は、非常用にポケット、ハンドバッグ、バックパックなどの人が携行可能な場所、又は自動車内に入れて持ち運ぶのに十分な携帯性を有する、断熱性に優れた膨張可能なベストを提供する。
【０００７】
このベストは、空気を通さず、かつ自体も膨張できる材料で作られることにより断熱性を提供する。ベストを膨張させる空気も断熱性を提供する。ベストの内向き表面、好ましくはベストを取り巻く膨張した小室すなわちセルの外層の内向き表面にある熱放射反射材料が、体温を維持する役割を果たす。ベストを取り巻く多数の膨張可能な小室それぞれが、対流熱の伝達を減少させる。したがって、このベストは好ましくは、携帯性の高いシステムにおける熱伝導、熱放射、及び熱対流を防止することによって断熱性を提供する。
【０００８】
本発明の他の様々な特徴や付随する利点は、添付図面と共に考慮されてより深く理解されるに従って読者にとって明らかとなり、その真価が十分に認められるであろう。これらの目的及び利点は、本発明の範囲に含まれる。上記及び関連する目的を達成するために、本発明は添付図面にて例示されるような形で具現化され得る。但し、図面は一例に過ぎず、例示され記載される特定の構成において、本願の範囲内で変更が可能であるという事実に留意されたい。
【０００９】
携帯性の高い、膨張可能な非常用ベストを提供する。このベストはセルすなわち小室を含み、それらは互いに交差接続されており、ベストの襟に設けられた単純な一方向マウスピースを介して膨張させることができる。ベストを膨張させることで、着用者の体形に沿わせながら、グースダウンと同様の方法で空気を閉じ込めて動かないようにした層を形成し、これにより湿った空気を袖ぐり及び一体的に形成された通気孔から逃がしつつ着用者の体の芯部を保温する。ベストの内側表面は熱反射性を有しているため、使用者の体熱をその近傍に閉じ込めて維持して、８０％〜９０％もの放射熱損失を防止する。さらに、ベストの外側表面はレーダー反射材料製である。これによりベストのレーダー視認性が大幅に改善され、行方不明又は行動不能になった着用者を探し出す捜索救助活動の一助として利用できる。この特徴により、遠距離からでも広い水域面における着用者の位置をレーダーに表示させることができるため、小さなボートやカヤックの操縦者にとっても有益である。
【００１０】
この製造プロセスには、材料の第１シートを第２シートの上に配置し、第１シートと第２シートとを熱的に又は超音波で溶着し、２つのシートの縁部に沿って内側を接合して、相互連結した小室を形成する工程が含まれる。これらのシートには、オフセット印刷または他の既知手段により、予め（単数又は複数の）好適な色で印刷されたり、何らかの所望の装飾が施されたりしてもよい。ベストを閉じるために接着片が取り付けられる。組み立てが完了すると、この膨張前のベストが、携帯に便利なように小さな容器又は小袋に収納される。安全性／視認性を高めるために、布地用反射性インクが使用されてもよい。このようなインクは、再帰反射型マイクロレンズを混合した水性（ラテックス）インクベースから成る。このプロセスは生地又はプラスチックへのダイレクトスクリーン印刷に用いられ、視認性に関して最終的に得られる結果は同じである。再帰反射フィルムを使用してもよく、使用する場合には、接着プロセスの前又は後に外側のシートに適用される。
【００１１】
本発明の他の特徴や利点は以下で説明する。
【００１２】
以下、図面を参照して好適な実施形態を説明する。なお、本発明は以下の図面により例示されるが、これに限定されるものではない。
【図面の簡単な説明】
【００１３】
【図１】本発明に係るベストの一実施形態を示す図である。
【００１４】
【図２】空気で膨らまされた図１に示すベストの実施形態の意図される着用状態を示す図である。
【００１５】
【図３】１枚のピースとして平らに広げられた本発明のベストを示す図である。
【００１６】
【図４】製造過程で結合されて１枚のベストになる、１組のピースとして平らに広げられた本発明のベストを示す図である。
【００１７】
【図５】膨張しない袖部をさらに有する本発明のベストの一実施形態を示す図である。
【発明を実施するための形態】
【００１８】
本発明は非常用低体温防止システムを開示する。一実施形態において、このシステムは膨張可能なベスト１００を含む。図１を参照されたい。ベスト１００は、ベスト１００の内部に導入された空気が内部に保たれるように空気を通さない材料から成り、これによりベスト１００の少なくとも一部が膨張する。好ましくは、ベスト１００は、一方側をポリエチレンでコーティングし、他方側に金属蒸着を施したアルミ蒸着ナイロンシートなどの引張強度の高いポリエステルフィルムから成る。この材料は電気抵抗性を有し、化学的に安定であり、不燃性であって（９４ＶＴＭ−２）、厚さは０．００１インチから０．０１４インチの範囲にある。この材料は熱可塑性ポリマーであって、熱的及び超音波的に可融性である。つや消しから光沢まで、色は複数あってよい。
【００１９】
ベスト１００は開閉可能な前部１１０、ベスト１００のほぼ全長に渡る側部１２２、１２４、及びベスト１００の首領域１３６から腰領域１３８までにほぼ全長に渡る背部１３０で構成される。さらに、ベスト１００は外面と内面を有し、少なくともベスト１００の内面の一部に熱放射反射材料が設けられている。膨張時、ベスト１００は、前部１１０、側部１２２、１２４、及び背部１３０の周囲で断熱性を発揮する。
【００２０】
一実施形態において、ベスト１００は１つのパーツとして製造される。図３を参照されたい。別の実施形態において、ベスト１００は左側部と右側部の２つのパーツとして製造される。図４を参照されたい。２パーツ製造法では、最終組み立て時に左側部と右側部を結合する必要がある。これは各側部の材料の側方部分を溶着させることで実現できる。あるいは、一方の側部に取り付けられ、他方の側部と結合するテープ２０２でこれらの部分を互いに固定してもよい。２パーツ製造プロセスの利点の１つは、左側部と右側部とを独立して膨張させることができることである。これにより、一側部の保全性に壊滅的ダメージがあった場合でも他方側部の断熱性が失われることがない。
【００２１】
ベスト１００の膨張可能部分は、複数の相互に連結された小室１８０を含む。図１を参照されたい。小室１８０は、ベスト１００の少なくとも前部１１０の上部及び下部に配置され、互いに交差接続されている。好ましくは、小室１８０は、ベスト１００の前部１１０、背部１３０、及び側部１２２、１２４の上部及び下部に配置される。ベスト１００の内面は小室１８０の外側にあり、ベスト１００の外面は小室１８０の外側にある。各小室１８０は、ベスト１００の内面及び外面の部分を部分的に互いに溶着させることで形成され、この溶着部が、完全に閉じていない小室１８０の周囲部分となる。この周囲の非溶着部分が、隣接する小室１８０に通じている。このため、各小室１８０は少なくとも１つの他の小室１８０と連通し、少なくとも１つの小室１８０は膨張管１６０と連通している。２セットの相互連結小室１８０で構成されるベスト１００の場合（図４参照）、各セットに１つの膨張管１６０が必要である。
【００２２】
（少なくとも１つの）膨張管１６０は単純な一方向マウスピースを含み、これは例えばベスト１００のフィルム材料から成り、ベストの襟１７０に形成されるフラップ弁である。図３を参照されたい。膨張管１６０には、一体的に形成された一方向弁を有する射出成型マウスピースなど、他の構成も考えられる。膨張管１６０を介してベスト１００に導入された空気は、膨張管と連通する少なくとも１つの小室１８０に入り、この小室１８０から他の各小室１８０へ、ベスト１００内のすべての小室１８０に空気が入るまで、各小室間の連通部分を介して進んでいく。膨張管１６０の一方向バルブは、使用中にベスト１００から空気が漏れることを防止する。ただし、ベスト１００をしぼませて再度使用できるよう、この弁を操作してベスト１００から空気が抜けるようにしてもよい。
【００２３】
１つ以上の小室１８０が、ベスト１００の内面をベスト１００の外面に結合する小室間溶着部１８２を有してもよい。図１を参照されたい。したがって、この小室１８０は、球状ではなく略環状となる。小室間溶着部１８２によりベスト１００は構造的剛性が得られ、膨張時に所望の形状を維持することができる。これにより、着用者とベスト１００との間の温められた空気がベスト１００の隙間から漏れるのを最小限にすることができる。
【００２４】
ベスト１００は空気を抜いた状態で、平らに広げた一枚のシートとして提供可能である。図３を参照されたい。これにより、保管用に小さくたたむことができる。一実施形態において、ベスト１００を使用するためには、肩部１２６、１２８を形成し、前部１１０を閉じる必要がある。そのため、使用者は、ベスト１００の前部１１０の一側部の上部１１４をベスト１００の背部１３０の対応側の上部１３４と結合して一方の肩部１２６を形成し、ベスト１００の前部１１０の他方側部の上部１１８をベスト１００の背部１３０の対応側の上部１３４と結合して他方の肩部１２８を形成する。上記の好適な実施形態において、各肩部１２６、１２８は、ベスト１００の前部１１０の上部１１４に取り付けられ、ベスト１００の背部１３０の対応する上部１３４と結合する、テープ２０２により形成される。あるいは、テープ２０２は、ベスト１００の背部１３０の上部１３４に取り付けられ、ベスト１００の前部１１０の対応する上部１１４と結合してもよい。どちらの構成においても、使用前の接着を防止するために、テープ２０２はさらにその外面に保護カバーを有してもよい。他の実施形態において、肩部１２６、１２８は製造プロセスにおいて予めテープ止め又は溶着されており、使用者がベスト１００を着用する前に肩部１２６、１２８についてさらなる作業を行う必要はない。
【００２５】
使用者は、それぞれの腕を、ベスト１００の側部１２２、背部１３０、前部１１０、及び肩部１２６によって形成された対応する袖ぐりに通すことで、ベスト１００を着用する。次いで、ベスト１００の前部１１０の片方の側部１１２をベスト１００の前部１１０のもう一方の側部１１６に接触させることによってベスト１００の前部１１０を閉じる。図２を参照されたい。上記の好適な実施形態において、ベスト１００の前部１１０の第１の側部１１２は、ベスト１００の前部１１０の第１の側部１１２に取り付けたテープ２０２や面ファスナ（Ｖｅｌｃｒｏ（登録商標））などの接着手段により、ベスト１００の前部１１０の第２の側部１１６に接合される。接着手段を取り付けるのはどちらの側部（左又は右）でもよい。テープ２０２を用いる場合、使用前の接着を防止するために、テープ２０２はさらにその外面に保護カバーを有してもよい。
【００２６】
好適な実施形態において、ベスト１００はその外面の少なくとも一部にレーダー反射材料を含む。これは、片面又は両面に金属蒸着を施した、アルミ蒸着によるナイロン又は引張強度の高い他のポリエステルフィルムであってもよい。これらの材料のレーダー反射性には定評がある。膨張時、この金属蒸着を施された可撓性材料は立体的レーダー反射面を形成して、入射レーダー波を大幅に反射しやすいものとなるため、捜索救助活動の一助となる。他の好適な実施形態において、ベスト１００は、一体的に形成された通気孔１５０を含み、この通気孔１５０は、前部１１０、側部１２２、１２４、及び背部１３０に位置する。これらの通気孔１５０は、製造プロセスにおいて、接合されたベスト１００材料の小室１８０同士の交点を穴あけ加工することにより形成される。これにより、発汗による水分をより多く衣服の外側へ移動させられるようになり、着心地の良さとベスト１００の保温性をより高められる。さらに他の好適な実施形態において、ベスト１００は一体的に形成された膨張管１６０を含む。この管１６０は、前襟１７０に設けられているため、ベスト１００の膨張プロセスを大いに改善する。さらに他の好適な実施形態において、ベスト１００は一体的に形成された膨張しない襟１７０を含む。この襟１７０はベスト１００の材料の両層を溶着することにより作製され、着用者の首の後ろ側において防風壁及び付加的な熱反射面を形成する。これにより、全体的な着心地の良さと実用性が向上する。最も好適な実施形態においては、上記の特徴のそれぞれがベスト１００に取り入れられている。
【００２７】
一変形例において、ベスト１００は膨張しない一対の袖部１９０を有する。図５を参照されたい。袖部１９０は、テープ２０２による手首部分の閉鎖部と通気孔１５０とを有する、内側がアルミ蒸着された一重の材料で構成される。この構成により、ベスト１００の全体的な嵩を最小限に維持しつつ、上肢に対してさらなる保温性が提供される。
【００２８】
以上、いくつかの変形例と共に本発明の好適な実施形態を記載及び例示した。上記の用語、記述、及び図面は説明のためにのみ使用されたものであり、本発明を限定するものではない。当業者には明らかなように、本発明は特に記載がない限り全ての用語が最も広く合理的な意味で示されており、本発明の要旨の範囲内において多くの変形が可能である。明細書内の表題は便宜的に使用されたものであり、法的又は限定的効果は一切ない。
【００２９】
＜付記＞
［付記１］
非常用低体温防止システムの改良されたベストであって、
前記ベストの少なくとも一部が膨張可能であり、
前記ベストは、膨張可能な前記一部を提供する空気を通さない材料から成り、
前記ベストは、
開閉可能な前記ベストの前部であって、第１パネル及び第２パネルを有し、前記第１パネル及び前記第２パネルは、開いている状態では互いから分離可能で、閉じている状態では互いに結合可能である、前記ベストの前部と、
それぞれ１つのパネルを含む、前記ベストのほぼ全長に渡る複数の側部と、
１つのパネルを含む、前記ベストの首領域から腰領域までの前記ベストのほぼ全長に渡る背部と、
の周囲で断熱性を有し、
前記ベストは、外面と内面とを有し、
前記ベストの前記内面の少なくとも一部に熱放射反射材料が設けられ、前記ベストの前記外面の少なくとも一部にレーダー反射材料が設けられている、
ベスト。
［付記２］
前記ベストの前記前部、前記側部、及び前記背部に位置する一体的に形成された通気孔をさらに含む、
付記１に記載のベスト。
［付記３］
一体的に形成された膨張管をさらに含む、
付記１に記載のベスト。
［付記４］
一体的に形成された襟をさらに含む、
付記１に記載のベスト。
［付記５］
前記ベストの前記前部、前記側部、及び前記背部に位置する一体的に形成された通気孔、一体的に形成された膨張管、及び一体的に形成された襟をさらに含む、付記１に記載のベスト。
［付記６］
前記ベストの膨張可能な前記一部は、小室を含む、
付記１に記載のベスト。
［付記７］
前記ベストの前記内面は前記小室の外側にある、
付記６に記載のベスト。
［付記８］
前記ベストの前記材料は、０．０１４インチ以下の厚みを有する、
付記１に記載のベスト。
［付記９］
前記ベストを閉じるため、前記ベストの前記前部に設けられるテープをさらに含み、前記テープは、前記テープの外面に保護カバーを有する、
付記１に記載のベスト。
［付記１０］
前記ベストの前記前部の一方側の上部にテープをさらに含み、前記テープは前記ベストの肩部を形成するために前記ベストの前記背部の一方側の上部と結合可能であり、前記テープは前記テープの外面に保護カバーを有する、
付記１に記載のベスト。
［付記１１］
前記ベストの前記背部の一方側の上部にテープをさらに含み、前記テープは前記ベストの肩部を形成するために前記ベストの前記前部の一方側の上部と結合可能であり、前記テープは前記テープの外面に保護カバーを有する、
付記１に記載のベスト。
［付記１２］
膨張しない一対の袖部をさらに含む、
付記１に記載のベスト。
［付記１３］
前記ベストの前記袖部は、それぞれ、
外面と内面とを有し、
前記袖部の前記内面の少なくとも一部に熱放射反射材料が設けられ、前記袖部の前記外面の少なくとも一部にレーダー反射材料が設けられている、
付記１２に記載のベスト。
［付記１４］
非常用低体温防止システムの改良されたベストであって、
前記ベストの少なくとも一部が膨張可能であり、
前記ベストは膨張可能な前記一部を提供する空気を通さない材料から成り、
前記ベストは
開閉可能な前記ベストの前部であって、第１パネル及び第２パネルを含み、前記第１パネル及び前記第２パネルは、開いている状態では互いから分離可能で、閉じている状態では互いに結合可能である、前記ベストの前部と、
それぞれ１つのパネルを含む、前記ベストのほぼ全長に渡る複数の側部と、
１つのパネルを含む、前記ベストの首領域から腰領域までの前記ベストのほぼ全長に渡る背部と、
の周囲で断熱性を有し、
前記ベストは、外面と内面とを有し、
前記ベストの前記内面の少なくとも一部に熱放射反射材料が設けられ、前記ベストの前記前部、前記側部、及び前記背部に位置する通気孔が、一体的に形成されている、
ベスト。
［付記１５］
一体的に形成された膨張管をさらに含む、
付記１４に記載のベスト。
［付記１６］
一体的に形成された襟をさらに含む、
付記１４に記載のベスト。
［付記１７］
一体的に形成された膨張管及び一体的に形成された襟をさらに含む、
付記１４に記載のベスト。
［付記１８］
前記ベストの膨張可能な前記一部は、小室を含む、
付記１４に記載のベスト。
［付記１９］
前記内面は前記小室の外側にある、
付記１８に記載のベスト。
［付記２０］
前記ベストの前記材料は、０．０１４インチ以下の厚みを有する、
付記１４に記載のベスト。
［付記２１］
前記ベストを閉じるため、前記ベストの前記前部に設けられるテープをさらに含み、前記テープは、前記テープの外面に保護カバーを有する、
付記１４に記載のベスト。
［付記２２］
前記ベストの前記前部の一方側の上部にテープをさらに含み、前記テープは前記ベストの肩部を形成するために前記ベストの前記背部の一方側の上部と結合可能であり、前記テープは前記テープの外面に保護カバーを有する、
付記１４に記載のベスト。
［付記２３］
前記ベストの前記背部の一方側の上部にテープをさらに含み、前記テープは前記ベストの肩部を形成するために前記ベストの前記前部の一方側の上部と結合可能であり、前記テープは前記テープの外面に保護カバーを有する、
付記１４に記載のベスト。
［付記２４］
膨張しない一対の袖部をさらに含む、
付記１４に記載のベスト。
［付記２５］
前記ベストの前記袖部は、それぞれ、
外面と内面とを有し、
前記袖部の前記内面の少なくとも一部に熱放射反射材料が設けられ、前記袖部の前記外面の少なくとも一部にレーダー反射材料が設けられている、
付記２４に記載のベスト。
［付記２６］
ベストを含む非常用低体温防止システムにおける改良であって、
前記ベストは、
開閉可能な前記ベストの前部であって、第１パネル及び第２パネルを有し、前記第１パネル及び前記第２パネルは、開いている状態では互いから分離可能で、閉じている状態では互いに結合可能である、前記ベストの前部と、
それぞれ１つのパネルを含む、前記ベストのほぼ全長に渡る複数の側部と、
１つのパネルを含む、前記ベストの首領域から腰領域までの前記ベストのほぼ全長に渡る背部と、
を囲む断熱性のある衣服で構成され、
前記衣服の少なくとも一部が膨張可能で空気を通さない材料から成り、
膨張可能な前記一部は、表面によって範囲を定められる小室を含み、前記小室は、前記ベストの少なくとも前部における上部及び下部にあって、互いに交差接続されており、
前記ベストは
外面と内面とを有し、
前記ベストの前記内面の少なくとも一部に熱放射反射材料が設けられ、前記ベストの前記外面の少なくとも一部にレーダー反射材料が設けられ、前記ベストの前記前部、前記側部、及び前記背部に位置する通気孔が一体的に形成され、膨張管が一体的に形成され、襟が一体的に形成されており、
前記ベストは非常用に持ち運ぶのに十分な携帯性を有する、
改良。
［付記２７］
前記ベストを閉じるため、前記ベストの前記前部に設けられるテープをさらに含み、前記テープは、前記テープの外面に保護カバーを有する、
付記２６に記載のベスト。 
［付記２８］
前記ベストの前記前部の一方側の上部にテープをさらに含み、前記テープは前記ベストの肩部を形成するために前記ベストの前記背部の一方側の上部と結合可能であり、前記テープは前記テープの外面に保護カバーを有する、
付記２６に記載のベスト。
［付記２９］
前記ベストの前記背部の一方側の上部にテープをさらに含み、前記テープは前記ベストの肩部を形成するために前記ベストの前記前部の一方側の上部と結合可能であり、前記テープは前記テープの外面に保護カバーを有する、
付記２６に記載のベスト。
［付記３０］
前記ベストの前記内面は、前記小室の外側にある、
付記２６に記載のベスト。
［付記３１］
前記ベストの前記材料は、０．０１４インチ以下の厚みを有する、
付記２６に記載のベスト。
［付記３２］
膨張しない一対の袖部をさらに含む、
付記２６に記載のベスト。
［付記３３］
前記ベストの前記袖部は、それぞれ、
外面と内面とを有し、
前記袖部の前記内面の少なくとも一部に熱放射反射材料が設けられ、前記袖部の前記外面の少なくとも一部にレーダー反射材料が設けられている、
付記３２に記載のベスト。
【国際調査報告】
2019501312.tif 000008